(57)【要約】【課題】主に各種照明機器の遠隔操作に用いられるリモコン送受信装置に関し、確実で多様な遠隔操作が可能なものを提供することを目的とする。【解決手段】リモコン送信機１５が操作信号を電波として送信すると共に、これをリモコン受信機２０が赤外線の操作信号に変換して送信することによって、例えば照明機器６の電灯が点灯した状態でも、確実に遠隔操作が行えると共に、他の機器、例えばエアコン等の空調機器２１の操作も一つのリモコン送信機１５で行えるため、多様な遠隔操作が可能なリモコン送受信装置を得ることができる。【選択図】図１
2010081576.tif 000002
【特許請求の範囲】
【請求項１】
操作手段の操作に応じた操作信号を送信するリモコン送信機と、上記操作信号を受信して所定の駆動信号を出力するリモコン受信機からなり、上記リモコン送信機が上記操作信号を電波として送信すると共に、これを上記リモコン受信機が赤外線の操作信号に変換して送信するリモコン送受信装置。
【請求項２】
操作信号に代えて、これを作成するための演算信号をリモコン送信機から送信する請求項１記載のリモコン送受信装置。
【発明の詳細な説明】
【技術分野】
【０００１】
本発明は、主に各種照明機器の遠隔操作に用いられるリモコン送受信装置に関するものである。
【背景技術】
【０００２】
近年、テレビやビデオ、エアコン等の各種電子機器に加え、室内灯等の照明機器をリモコン送受信装置によって遠隔操作することが広く行われており、確実で多様な操作を行えるものが求められている。
【０００３】
このような従来のリモコン送受信装置について、図４を用いて説明する。
【０００４】
図４は従来のリモコン送受信装置の斜視図であり、同図において、１は略箱状で絶縁樹脂製のケースで、このケース１上面には、下方にスイッチ接点が設けられた複数の操作キーが上下動可能に突出して、操作手段２が形成されている。
【０００５】
そして、ケース１内には上下面に複数の配線パターンが形成された配線基板（図示せず）が収納され、この配線基板に実装された発光ダイオード等によって送信手段３や、マイコン等の電子部品によって制御手段４が各々形成されて、リモコン送信機５が構成されている。
【０００６】
また、６は天井に取付けられた室内灯等の照明機器で、この内方には受光素子等の受信手段７や、マイコン等の制御手段８から形成されたリモコン受信機９が収納され、このリモコン受信機９に蛍光灯や電球等の発光体６Ａが接続されると共に、このリモコン受信機９とリモコン送信機５によって、リモコン送受信装置が構成されている。
【０００７】
以上の構成において、リモコン送信機５の、操作手段２の複数の操作キーのうち、例えば点灯や消灯用の操作キーを押圧操作すると、この下方のスイッチ接点の電気的接離が行われ、これを制御手段４が検出して、ヘッダコードや操作コード等から形成された赤外線の操作信号が送信手段３から送信される。
【０００８】
そして、これをリモコン受信機９の受信手段７が受信すると共に、制御手段８がこの操作信号を照合して所定の駆動信号を出力し、操作信号に応じた照明機器６の操作、例えば発光体６Ａの点灯や消灯等が行われる。
【０００９】
つまり、操作手段２の操作に応じて、リモコン送信機５から赤外線の操作信号を送信すると共に、リモコン受信機９がこれを受信して、操作信号に応じた所定の駆動信号を出力することによって、発光体６Ａの点灯や消灯等といった、照明機器６の遠隔操作が行われるように構成されているものであった。
【００１０】
なお、この出願の発明に関連する先行技術文献情報としては、例えば、特許文献１が知られている。
【先行技術文献】
【特許文献】
【００１１】
【特許文献１】特開２００３−２４３１８３号公報
【発明の概要】
【発明が解決しようとする課題】
【００１２】
しかしながら、上記従来のリモコン送受信装置においては、赤外線の操作信号によって、リモコン送信機５とリモコン受信機９の送受信を行っているため、特に照明機器６の発光体６Ａが点灯した状態で、例えば消灯用の操作信号を送信した場合、消灯時とは異なり、この赤外線の操作信号が発光体６Ａの光によって妨げられて、正しく遠隔操作が行われず、消灯するまで何度も操作を繰り返さなければならない場合があるという課題があった。
【００１３】
本発明は、このような従来の課題を解決するものであり、機器の確実で多様な遠隔操作が可能なリモコン送受信装置を提供することを目的とする。
【課題を解決するための手段】
【００１４】
上記目的を達成するために本発明は、以下の構成を有するものである。
【００１５】
本発明の請求項１に記載の発明は、リモコン送信機が操作信号を電波として送信すると共に、これをリモコン受信機が赤外線の操作信号に変換して送信するようにしてリモコン送受信装置を構成したものであり、リモコン送信機とリモコン受信機の送受信が電波によって行われるため、例えば照明機器の発光体が点灯した状態でも、確実に遠隔操作が行えると共に、この操作信号をリモコン受信機が赤外線に変換して送信することによって、他の機器、例えばエアコン等の空調機器の操作も一つのリモコン送信機で行えるため、多様な遠隔操作が可能なリモコン送受信装置を得ることができるという作用を有する。
【００１６】
請求項２に記載の発明は、請求項１記載の発明において、操作信号に代えて、これを作成するための演算信号をリモコン送信機から送信するものであり、リモコン受信機が演算信号によって様々な赤外線の操作信号を作成できるため、多くの操作信号を記憶しておく必要がなくなると共に、例えばリモコン受信機が遠隔操作する機器が変わった場合でも、容易に対応を図ることが可能となるという作用を有する。
【発明の効果】
【００１７】
以上のように本発明によれば、確実で多様な遠隔操作が可能なリモコン送受信装置を実現できるという有利な効果が得られる。
【図面の簡単な説明】
【００１８】
【図１】本発明の一実施の形態によるリモコン送受信装置のブロック回路図
【図２】同斜視図
【図３】同波形図
【図４】従来のリモコン送受信装置の斜視図
【発明を実施するための形態】
【００１９】
以下、本発明の実施の形態について、図１〜図３を用いて説明する。
【００２０】
なお、背景技術の項で説明した構成と同一構成の部分には同一符号を付して、詳細な説明を簡略化する。
【００２１】
（実施の形態）
図１は本発明の一実施の形態によるリモコン送受信装置のブロック回路図、図２は同斜視図であり、同図において、１は略箱状でポリスチレンやＡＢＳ等の絶縁樹脂製のケースで、このケース１上面には、下方にスイッチ接点が設けられたゴムや絶縁樹脂製の複数の操作キーが、上下動可能に突出して操作手段２が形成されている。
【００２２】
そして、ケース１内には上下面に銅箔等によって複数の配線パターンが形成された、紙フェノールやガラス入りエポキシ等の配線基板（図示せず）が収納されると共に、この配線基板に実装されたアンテナ等によって送信手段１３や、マイコン等の電子部品によって制御手段１４が各々形成されて、リモコン送信機１５が構成されている。
【００２３】
また、６は天井に取付けられた室内灯等の照明機器で、この内方にはアンテナ等の受信手段１７や、発光ダイオード等の送信手段１８、及びこれらに接続されたマイコン等の制御手段１９から形成された、リモコン受信機２０が収納され、この制御手段１９に蛍光灯や電球、発光ダイオード等の発光体６Ａが接続されると共に、このリモコン受信機２０とリモコン送信機１５によって、リモコン送受信装置が構成されている。
【００２４】
さらに、２１は側壁に取付けられたエアコン等の空調機器で、受光素子等によって受信手段２２や、マイコン等の電子部品によって制御手段２３が各々形成されると共に、これらが機器の電子回路２４に接続されている。
【００２５】
以上の構成において、リモコン送信機１５の、操作手段２の複数の操作キーのうち、例えば照明機器６用の点灯や消灯用の操作キーを押圧操作すると、この下方のスイッチ接点の電気的接離が行われ、これを制御手段１４が検出して、ヘッダコードや操作コード等から形成された操作信号が、送信手段１３から電波として送信される。
【００２６】
そして、これをリモコン受信機２０の受信手段１７が受信すると共に、制御手段１９がこの操作信号を照合して所定の駆動信号を出力し、操作信号に応じた照明機器６の操作、例えば発光体６Ａの点灯や消灯等が行われる。
【００２７】
なお、この時、照明機器６の発光体６Ａが点灯した状態で、例えば消灯用の操作信号を送信した場合でも、この操作信号は上記のように電波であるため、赤外線のように発光体６Ａの光によって妨げられることはなく、照明機器６の確実な操作が行われるようになっている。
【００２８】
つまり、操作手段２の操作に応じた操作信号を、リモコン送信機１５から電波として送信すると共に、これをリモコン受信機２０が受信し、この操作信号に応じた駆動信号を出力することによって、例えば発光体６Ａが点灯した状態でも、確実に照明機器６の遠隔操作が行えるように構成されている。
【００２９】
また、リモコン送信機１５の操作手段２の、例えば空調機器２１用の温度切換え等の操作キーを押圧操作すると、この下方のスイッチ接点の電気的接離が行われ、これを制御手段１４が検出して、ヘッダコードや操作コード等から形成された操作信号が、送信手段１３から電波として送信される。
【００３０】
そして、これをリモコン受信機２０の受信手段１７が受信し、制御手段１９がこの操作信号を照合するが、この操作信号が発光体６Ａの点灯や消灯、あるいは調光等を行うための操作信号ではないことを判別した場合には、制御手段１９がこれを図３（ａ）の波形図に示すような、０と１の所定幅のパルス波形が連続し、ヘッダコードＬ１や操作コードＬ２等から形成された、赤外線の操作信号Ｌとして生成し、送信手段１８から送信する。
【００３１】
さらに、この赤外線の操作信号Ｌを空調機器２１の受信手段２２が受信すると共に、制御手段２３がこの操作信号を照合して所定の駆動信号を出力し、操作信号に応じた空調機器２１の操作、例えば設定温度の上昇や下降等の切換えが行われる。
【００３２】
つまり、リモコン送信機１５から送信された電波の操作信号が、照明機器６の様々な制御を行うためのものではなく、例えば空調機器２１の操作用のものである場合には、制御手段１９がこれを判別し、送信手段１８から赤外線の操作信号に変換して送信することによって、一つのリモコン送信機１５で、照明機器６に加え空調機器２１の遠隔操作も行えるようになっている。
【００３３】
すなわち、リモコン送信機１５から送信された電波の操作信号を、リモコン受信機２０が赤外線の操作信号に変換して送信するように形成することで、照明機器６の遠隔操作に加え、空調機器２１等の他の機器の操作も一つのリモコン送信機１５で可能となり、多様な遠隔操作が行えるように構成されている。
【００３４】
そして、この時、リモコン送信機１５から送信される空調機器２１用の操作信号は、無指向性で通信距離の長い電波であるため、指向性のある赤外線の操作信号を用いた別のリモコン送信機で、空調機器２１を直接操作する場合に比べ、離れた箇所からでも空調機器２１の操作を確実に行うことが可能となる。
【００３５】
なお、この時、操作手段２の操作に応じて、照明機器６を操作するためのものか、あるいは空調機器２１を操作するためのものかが判別できるような信号を、リモコン送信機１５からの電波の操作信号に付加して送信するようにすれば、リモコン受信機２０が操作する機器の判別をより容易に行うことができる。
【００３６】
また、以上の説明では、リモコン送信機１５の操作手段２に、照明機器６用の点灯や消灯用の操作キーと、空調機器２１用の温度切換え等の操作キーの両方を形成した構成について説明したが、別途操作キーやスライドスイッチ、あるいは扉の開閉等の切換え用の操作手段を設け、これによって複数の操作キーの機能を照明機器６と空調機器２１用に切換えるようにすれば、操作キーの数を減らし、安価にリモコン送信機１５を構成することができる。
【００３７】
なお、一つのリモコン送信機１５によって照明機器６を介して遠隔操作を行う機器としては、室内灯等の照明機器６は通常天井に設置され、操作信号が室内の全ての方向に届き易い場所にあるため、床上や机上の比較的低い場所に置かれたテレビやオーディオ等の機器についても操作は可能であるが、リモコン受信機２０から送信される操作信号が比較的通信距離の短い赤外線であり、また、これらの機器までの間には家具等の障害物も多いため、照明機器６と同様に比較的高い場所に設置された、エアコンや壁掛け扇風機等の空調機器２１の操作用として用いる方が好ましい。
【００３８】
さらに、リモコン送信機１５から照明機器６のリモコン受信機２０に送信する電波信号を、図３（ａ）に示したような赤外線に変換する前の、０と１のヘッダコードや操作コード等から形成された操作信号ではなく、この操作信号を作成するための演算信号とすることで、リモコン受信機２０を介して遠隔操作する空調機器２１が変わった場合でも、容易に対応を図ることができる。
【００３９】
つまり、リモコン送信機１５からは、図３（ｂ）に示すような、例えば、ヘッダコードＬ１を作成するための、ヘッダの有無や長さ等を示すヘッダ演算コードＭ１や、操作コードＬ２を作成するための、０と１のビット長さ等を示す操作演算コードＭ２等から形成された演算信号Ｍを電波信号として送信する。
【００４０】
そして、これを受信したリモコン受信機２０の制御手段１９が、この演算信号Ｍから、図３（ａ）に示すような、ヘッダコードＬ１や操作コードＬ２等から形成された操作信号Ｌを作成し、赤外線の信号として送信手段１８から空調機器２１へ送信する。
【００４１】
すなわち、リモコン受信機２０が空調機器２１のメーカや機種毎に異なる様々な操作信号を記憶する必要はなく、この演算手段のみを記憶していれば、リモコン送信機１５から送信された演算信号Ｍによって、操作信号Ｌを作成し空調機器２１を遠隔操作できるようになっている。
【００４２】
したがって、空調機器２１を例えばあるメーカのものから別のメーカのものに変えた場合や、照明機器６のリモコン受信機２０を介して新たな機器を遠隔操作しようとした場合、リモコン送信機１５は操作手段２の所定の操作キーを操作して、所定のメーカの所定の機種を遠隔操作が可能なように設定する、いわゆるプリセット設定を行う必要があるが、リモコン受信機２０のプリセット設定を行う必要もなくなる。
【００４３】
つまり、電波の操作信号に代えて、これを作成するための演算信号Ｍをリモコン送信機１５から送信することによって、リモコン受信機２０は点灯や消灯、あるいは調光といった自らの操作信号のみを記憶しておくだけで、他の多くの機器の操作信号を記憶しておく必要はなくなるため、リモコン受信機２０を安価に構成することが可能となる。
【００４４】
このように本実施の形態によれば、リモコン送信機１５が操作信号を電波として送信すると共に、これをリモコン受信機２０が赤外線の操作信号に変換して送信することによって、例えば照明機器６の発光体６Ａが点灯した状態でも、確実に遠隔操作が行えると共に、他の機器、例えばエアコン等の空調機器２１の操作も一つのリモコン送信機１５で行えるため、多様な遠隔操作が可能なリモコン送受信装置を得ることができるものである。
【００４５】
そして、操作信号に代えて、これを作成するための演算信号をリモコン送信機１５から送信することによって、リモコン受信機２０が演算信号によって様々な赤外線の操作信号を作成できるため、多くの操作信号を記憶しておく必要がなくなると共に、例えばリモコン受信機２０が遠隔操作する機器が変わった場合でも、容易に対応を図ることが可能となる。
【００４６】
なお、以上の説明では、照明機器６内にリモコン受信機２０を一体に形成した構成について説明したが、照明機器６にコネクタ等の接続手段を設け、これによってリモコン受信機２０を照明機器６に着脱自在にした構成としても、本発明の実施は可能である。
【産業上の利用可能性】
【００４７】
本発明によるリモコン送受信装置は、確実で多様な遠隔操作が可能なものが得られ、主に各種照明機器や空調機器の遠隔操作用として有用である。
【符号の説明】
【００４８】
１  ケース
２  操作手段
６  照明機器
６Ａ  発光体
１３  送信手段
１４  制御手段
１５  リモコン送信機
１７  受信手段
１８  送信手段
１９  制御手段
２０  リモコン受信機
２１  空調機器
２２  受信手段
２３  制御手段
２４  電子回路
【図１】
2010081576.tif 000003
【図２】
2010081576.tif 000004
【図３】
2010081576.tif 000005
【図４】
2010081576.tif 000006